(57)【要約】【課題】固定刃も回転刃と共に装着することができ、構造が単純である刈払機を得る。【解決手段】固定刃２１は、ギヤケース外壁１０Ａに対して下側から装着される。ここで、ギヤケース外壁１０Ａにおける下側には、下側に向かって突出する突起部（ギヤケース側係合部）３１が、周方向に複数設けられている。また、これに対応して、固定刃２１には、突起部３１と係合する固定刃側凹部２１Ａが設けられている。回転刃２２は、第２刈刃固定具１６における第２刈刃固定具突出部１６１の周囲の下向きの表面である第２当接部１６Ｂと接するように、下側から装着される。回転刃２２を第２刈刃固定具１６と第１刈刃固定具の間に挟持して固定し、回転刃２２を回転軸１１と共に回転させることができる。【選択図】図２
2016086659.tif 000002
【特許請求の範囲】
【請求項１】
一方の側に突出する回転軸が設けられたギヤケースに対して、前記回転軸の回転に際して回転運動をしない固定刃と、前記回転軸に固定され前記ギヤケース及び前記固定刃に対して回転運動をする回転刃と、が脱着可能とされて設けられた刈払機であって、
前記回転軸の中心軸から見て前記回転軸を囲む前記ギヤケースの部分であるギヤケース外壁に設けられ、前記固定刃に設けられた固定刃側係合部と係合することによって、前記回転軸が前記固定刃を貫通した状態で前記固定刃を前記ギヤケースに対して回転不能として係止するギヤケース側係合部と、
前記固定刃を貫通した前記回転軸に対して装着され、前記回転刃における前記一方の側の面と当接し、前記回転刃を前記一方の側から前記一方の側と反対側の他方の側に向かって押圧する第１当接部を具備し、前記回転刃を前記回転軸に固定する第１刈刃固定具と、
を具備することを特徴とする刈払機。
【請求項２】
前記固定刃に設けられた開口部である固定刃開口部を貫通し、前記回転刃において前記中心軸を含む領域に設けられた開口部である回転刃開口部を貫通する第２刈刃固定具突出部が前記一方の側に設けられた第２刈刃固定具を具備し、
前記回転刃は、前記第２刈刃固定具における前記第２刈刃固定具突出部の前記中心軸から見た周囲の前記一方の側の面である第２当接部と当接することを特徴とする請求項１に記載の刈払機。
【請求項３】
前記中心軸から見て、前記ギヤケース側係合部は、前記固定刃開口部よりも外側に設けられたことを特徴とする請求項２に記載の刈払機。
【請求項４】
前記ギヤケース側係合部は、前記一方の側に向かって突出する突起部であり、
前記ギヤケース外壁における前記突起部に隣接する前記一方の側の面が、前記固定刃の前記他方の側の面と当接する第３当接部であることを特徴とする請求項２又は３に記載の刈払機。
【請求項５】
前記第３当接部と前記第２当接部の前記中心軸方向における距離が、前記固定刃の厚さ以上となるように構成されたことを特徴とする請求項４に記載の刈払機。
【請求項６】
前記固定刃側係合部は前記固定刃を貫通する貫通孔であり、
前記突起部の前記第３当接部を基準とした前記中心軸方向に沿った高さは、前記固定刃の厚さ以下とされたことを特徴とする請求項４又は５に記載の刈払機。
【請求項７】
前記固定刃の代わりに前記回転刃と前記ギヤケースとの間に挿入され、前記第２刈刃固定具と前記回転刃との間に挟持されることによって前記回転軸及び前記回転刃と共に回転する代替部材が用いられたことを特徴とする請求項２又は３に記載の刈払機。
【請求項８】
前記代替部材には、前記ギヤケース外壁を前記中心軸から見て外側から覆う代替部材外壁が設けられ、前記代替部材外壁は、前記ギヤケース外壁の外面を摺動することを特徴とする請求項７に記載の刈払機。
【発明の詳細な説明】
【技術分野】
【０００１】
本発明は、回転する回転刃が用いられる刈払機に関する。
【背景技術】
【０００２】
草木等の刈り払い作業を行うために用いられる刈払機においては、細長いシャフトの先端部に刈刃が設けられ、この刈刃を回転させることによって草木等の刈払い作業が行われる。刈刃は略円板形状であり、その外周部には刃付け加工がなされている。図８は、こうした刈払機の構成を示す斜視図である。この刈払機３００においては、前後方向に細長い操作棹（シャフト）３０１の前端側に、回転する刈刃３０２が装着されたギヤケース３０３が設けられ、操作棹３０１の後端側には、エンジン３０４及び燃料タンク３０５が設けられる。このエンジン３０４の回転運動は操作棹３０１内の伝達軸（図示せず）に伝達され、伝達軸の回転運動はギヤケース３０３内に設けられた回転軸（図示せず）に伝達される。回転軸の下端側には刈刃３０２が装着され、この刈刃３０２はエンジン３０４によって駆動される。なお、エンジン３０４のクランク軸と伝達軸との間の回転運動の伝達は遠心クラッチを介して行われる。操作棹３０１における長手方向の中央付近には、作業時に作業者が把持するハンドル３０６が設けられる。作業者は、ハンドル３０６を把持し、この刈り払い機３００を操作することによって、回転する刈刃３０２を草木等に当接させ、刈払い作業を行うことができる。
【０００３】
刈刃３０２は消耗品であり、これが摩耗や破損した際には、作業者によって交換される。また、作業の内容に応じて、最適な刃先形状のものの選択等を行った上で駆動軸に装着して使用する場合もあり、この場合においても、作業者によって刈刃３０２の交換が行われる。このため、刈刃３０２と回転軸との間の接続部分やギヤケース３０３内の構造は、この交換作業が容易となるような構成とされる。この構造は、例えば特許文献１に記載されている。
【０００４】
この構造においては、回転軸に固定された刃受け金具との間で刈刃３０２を挟持するように刃押さえ金具が下側から回転軸に装着され、かつ刈刃３０２の下側部分を覆うカバーもその下側から回転軸に装着された状態で、回転軸の下端にナットが装着される。これによって、回転軸（刃受け金具）に対して刈刃３０２、刃押さえ金具、カバーが固定される。このため、このナットを取り外した状態で刈刃３０２の交換を行い、その後で再び刃押さえ金具、カバー、ナットを装着することによって、刈刃３０２の交換作業を容易に行うことができた。
【先行技術文献】
【特許文献】
【０００５】
【特許文献１】特開２０１２−２４９５２６号公報
【発明の概要】
【発明が解決しようとする課題】
【０００６】
前記の刈払機３００においては、回転する刈刃３０２が１枚のみ用いられた。一方、切断用の刃を２枚構成とし、一方の刃を固定し、かつ他方の刃を一方の刃に対して回転させ、切断対象をこの２枚の刃を用いて切断する構成（２枚刃構成）が、他の切断機において用いられている。こうした構成においては、特に高い切断効率を得ることができる。このため、こうした２枚刃構成を刈払機においても採用することが望まれた。この場合には、回転しない固定刃と、回転する回転刃とを共にギヤケースに装着することが必要となる。
【０００７】
しかしながら、上記のとおり、刈払機においては、刈刃の交換が容易であることが要求され、この場合には、固定刃、回転刃の交換が共に容易に行われることが必要となる。ここで、回転刃については、前記の刈払機３００と同様の構造を用いることができることは明らかである。
【０００８】
しかしながら、回転刃を回転させることができる状態で固定刃をギヤケースに対して固定し、かつ固定刃と回転刃の交換作業をと容易とするためには、ギヤケースに対して多くの部品を設けることが必要となり、構造が複雑となった。このため、こうした刈払機を安価とすることは困難であった。
【０００９】
本発明は、かかる問題点に鑑みてなされたものであり、上記の問題点を解決する発明を提供することを目的とする。
【課題を解決するための手段】
【００１０】
本発明は、上記課題を解決すべく、以下に掲げる構成とした。
本発明の刈払機は、一方の側に突出する回転軸が設けられたギヤケースに対して、前記回転軸の回転に際して回転運動をしない固定刃と、前記回転軸に固定され前記ギヤケース及び前記固定刃に対して回転運動をする回転刃と、が脱着可能とされて設けられた刈払機であって、前記回転軸の中心軸から見て前記回転軸を囲む前記ギヤケースの部分であるギヤケース外壁に設けられ、前記固定刃に設けられた固定刃側係合部と係合することによって、前記回転軸が前記固定刃を貫通した状態で前記固定刃を前記ギヤケースに対して回転不能として係止するギヤケース側係合部と、前記固定刃を貫通した前記回転軸に対して装着され、前記回転刃における前記一方の側の面と当接し、前記回転刃を前記一方の側から前記一方の側と反対側の他方の側に向かって押圧する第１当接部を具備し、前記回転刃を前記回転軸に固定する第１刈刃固定具と、を具備することを特徴とする。
本発明の刈払機は、前記固定刃に設けられた開口部である固定刃開口部を貫通し、前記回転刃において前記中心軸を含む領域に設けられた開口部である回転刃開口部を貫通する第２刈刃固定具突出部が前記一方の側に設けられた第２刈刃固定具を具備し、前記回転刃は、前記第２刈刃固定具における前記第２刈刃固定具突出部の前記中心軸から見た周囲の前記一方の側の面である第２当接部と当接することを特徴とする。
本発明の刈払機は、前記中心軸から見て、前記ギヤケース側係合部は、前記固定刃開口部よりも外側に設けられたことを特徴とする。
本発明の刈払機において、前記ギヤケース側係合部は、前記一方の側に向かって突出する突起部であり、前記ギヤケース外壁における前記突起部に隣接する前記一方の側の面が、前記固定刃の前記他方の側の面と当接する第３当接部であることを特徴とする。
本発明の刈払機は、前記第３当接部と前記第２当接部の前記中心軸方向における距離が、前記固定刃の厚さ以上となるように構成されたことを特徴とする。
本発明の刈払機において、前記固定刃側係合部は前記固定刃を貫通する貫通孔であり、前記突起部の前記第３当接部を基準とした前記中心軸方向に沿った高さは、前記固定刃の厚さ以下とされたことを特徴とする。
本発明の刈払機は、前記固定刃の代わりに前記回転刃と前記ギヤケースとの間に挿入され、前記第２刈刃固定具と前記回転刃との間に挟持されることによって前記回転軸及び前記回転刃と共に回転する代替部材が用いられたことを特徴とする。
本発明の刈払機において、前記代替部材には、前記ギヤケース外壁を前記中心軸から見て外側から覆う代替部材外壁が設けられ、前記代替部材外壁は、前記ギヤケース外壁の外面を摺動することを特徴とする。
【発明の効果】
【００１１】
本発明は以上のように構成されているので、固定刃も回転刃と共に装着することができ、構造が単純である刈払機を得ることができる。
【図面の簡単な説明】
【００１２】
【図１】本発明の実施の形態となる刈払機におけるギヤケース内の構造を示す断面図である。
【図２】本発明の実施の形態となる刈払機における固定刃、回転刃等の組み立て斜視図である。
【図３】本発明の実施の形態となる刈払機において用いられる固定刃（ａ）、ギヤケース（ｂ）の平面図である。
【図４】本発明の実施の形態となる刈払機における、ギヤケース、固定刃、回転刃等の位置関係を拡大して示す断面図である。
【図５】本発明の実施の形態となる刈払機における固定刃の構成の一例を示す断面図である。
【図６】本発明の実施の形態となる刈払機において固定刃を使用せず回転刃のみを用いた場合における構造を示す断面図である。
【図７】本発明の実施の形態となる刈払機の変形例におけるギヤケース内の構造を示す断面図である。
【図８】刈払機の構成を示す斜視図である。
【発明を実施するための形態】
【００１３】
本発明の実施の形態となる刈払機の構成について説明する。この刈払機においては、ギヤケースに対して固定された固定刃と、ギヤケースに設けられた回転軸に固定され、固定刃に対して回転する回転刃の２枚の刃が用いられる。
【００１４】
図１は、このギヤケース１０内における回転軸１１の中心軸に沿った断面図である。回転軸１１は、ギヤケース１０の一方の側（図１における下側）に突出する。また、図８における操作棹３０１内部に設けられた伝達軸１００が図中右上から左下側に向かって延び、伝達軸１００はギヤケース１０内でベアリング１０１によって支持されている。伝達軸１００の先端には、ベベルギヤ１０２が固定されている。一方、ギヤケース１０において、上下方向に延伸する回転軸１１は上側、下側でそれぞれベアリング１２、１３によって回転自在に支持され、上側でベアリング１２で支持された部分の下側にベベルギヤ１４が固定されている。ベベルギヤ１０２とベベルギヤ１４とが噛合することによって、伝達軸１００の回転運動が、回転軸１１に伝達される。
【００１５】
回転軸１１の下端部側には、ねじ切り加工が施されている。また、ベアリング１３の下側において、回転軸１１の中心軸から見て回転軸１１を囲むように形成されたギヤケース１０の一部であるギヤケース外壁１０Ａによって、回転軸１１は囲まれている。この刈払機においては、ギヤケース外壁１０Ａよりも下側に、固定刃２１、回転刃２２が装着される。
【００１６】
この刈払機においては、固定刃２１、回転刃２２を装着するために、第１刈刃固定具１５、第２刈刃固定具１６が用いられる。また、ギヤケース１０の一部であるギヤケース外壁１０Ａ自身も、このために用いられる。図２は、このギヤケース１０に対して固定刃２１、回転刃２２を装着する際の組み立て斜視図である。
【００１７】
第２刈刃固定具１６は、固定刃２１を上側から下側に貫通し、回転軸１１を貫通させる第２刈刃固定具貫通孔１６Ａを具備する。また、第２刈刃固定具１６には、第２刈刃固定具貫通孔１６Ａを中心とした円形の表面を具備する第２刈刃固定具突出部１６１が下側に突出するように形成されている。第２刈刃固定具１６は、回転軸１１に固定される。
【００１８】
図２に示されるように、固定刃２１は、ギヤケース外壁１０Ａに対して下側から装着される。ここで、ギヤケース外壁１０Ａにおける下側（固定刃２１と当接する側）には、下側に向かって突出する突起部（ギヤケース側係合部）３１が、周方向に複数設けられている。また、これに対応して、固定刃２１には、突起部３１と係合する固定刃側凹部（固定刃側係合部）２１Ａが突起部３１と同様に周方向に複数設けられている。なお、図１に示された構造では、固定刃側凹部２１Ａは、固定刃２１を貫通する貫通孔とされている。
【００１９】
固定刃２１を上側（他方の側）から見た平面図、ギヤケース外壁１０Ａ（ギヤケース１０））を下側（一方の側）から見た平面図を、図３（ａ）（ｂ）にそれぞれ示す。また、図２，図３（ａ）に示されるように、固定刃２１の中央には、第２刈刃固定具１６が貫通する開口部である固定刃開口部２１Ｂが設けられており、第２刈刃固定具１６が固定刃開口部２１Ｂを貫通した状態で、突起部３１を固定刃側凹部２１Ａに係合させることによって、固定刃２１を、ギヤケース外壁１０Ａ（ギヤケース１０）に対して回転不能な状態で装着することができる。この際、図１に示されるように、回転軸１１は、固定刃２１よりも下側に突出する。回転軸１１及び第２刈刃固定具１６は、固定刃２１を固定した状態で回転することができる。
【００２０】
図２に示されるように、回転刃２２の中央には、第２刈刃固定具突出部１６１が貫通する開口部である回転刃開口部２２Ａが設けられている。回転刃２２は、第２刈刃固定具突出部１６１及び回転軸１１が回転刃開口部２２Ａを貫通状態で、第２刈刃固定具１６における第２刈刃固定具突出部１６１の周囲の下向きの表面である第２当接部１６Ｂと接するように、下側から装着される。このため、回転刃２２を装着した際に、第２刈刃固定具突出部１６１及び回転軸１１は、回転刃２２よりも下側に突出する。
【００２１】
第１刈刃固定具１５には、回転軸１１が貫通する開口部である第１刈刃固定具開口部１５Ａが形成されている。このため、固定刃２１及び回転刃２２が装着された状態で、下側から第１刈刃固定具１５を回転軸１１に装着することができる。第１刈刃固定具１５における上面の外周部は、下側から回転刃２２と当接する面である第１当接部１５Ｂとなっている。このため、この状態で回転軸１１の下端部にナット１７を装着することによって、回転刃２２を第２刈刃固定具１６（第２当接部１６Ｂ）と第１刈刃固定具１５（第１当接部１５Ｂ）の間に挟持して固定し、回転刃２２を回転軸１１と共に回転させることができる。
【００２２】
以下に、ギヤケース外壁１０Ａ、第１刈刃固定具１５、第２刈刃固定具１６、固定刃２１、回転刃２２の位置関係について説明する。図４は、これらが当接する領域付近の構造を拡大して示す図であり、図４（ａ）においては便宜上固定刃２１及び回転刃２２の記載をせず、図４（ｂ）においてはこれらも記載している。図４（ｂ）に示されるように、固定刃２１の上面は、ギヤケース外壁１０Ａの突起部３１の周囲における下向きの面である第３当接部１０Ｂと当接する。このため、固定刃２１は、上側では第３当接部１０Ｂによって支持され、かつ突起部３１によって回転不能とされる。一方、固定刃２１は、下側では回転刃２２の上面のみによって支持される。
【００２３】
ここで、図４（ｂ）に示されるように、固定刃２１の厚さをＴとする。また、図４（ａ）に示されるように、ギヤケース外壁１０Ａにおける突起部３１の第３当接部１０Ｂからの高さ（上下方向における距離）をＨ、第２刈刃固定具１６における第２当接部１６Ｂからギヤケース外壁１０Ａの第３当接部１０Ｂまでの高さをＬとする。また、上記の例では、固定刃２１に設けられた固定刃側凹部２１Ａは、実際には貫通孔とされている。この場合、固定刃２１を下側から回転刃２２の上面で支持した状態で、円滑に回転刃２２を摺動させるためには、突起部３１を回転刃２２と当接させないために、Ｈ≦Ｔとすればよい。また、ナット１７、第１刈刃固定具１５を用いて回転刃２２を回転軸１１に固定する際に、回転刃２２が固定刃２１に強く押圧された場合には、回転刃２２の回転が固定刃２１によって阻害されるおそれがあるが、Ｌ≧Ｔとすることによって、この圧力を低くすることができ、回転刃２２を円滑に回転させることができる。
【００２４】
ただし、固定刃をギヤケースに係止させた状態で、第１刈刃固定具によって回転刃を固定刃の側に押圧した状態で回転刃を回転させることができる限りにおいて、第２刈刃固定具は不要である。例えば、同様の機能をもつ部材を回転軸の一部として設けることもできる。
【００２５】
上記の構成は、ギヤケース外壁１０Ａに突起部（ギヤケース側係合部）３１、固定刃２１に固定刃側凹部（固定刃側係合部）２１Ａを設け、第１刈刃固定具１５、あるいは更に第２刈刃固定具１６を用いることのみによって、従来の刈払機におけるギヤケース内の構造を変更せずに実現することができる。このため、単純な構造で固定刃を回転刃と共に用いることができ、安価な刈払機を得ることができる。
【００２６】
また、上記の構成においては、図３（ａ）に示されるように、固定刃２１においては、回転軸１１及び第２刈刃固定具突出部１６１が貫通する固定刃開口部２１Ｂの外側に複数の固定刃側凹部（固定刃側係合部）２１Ａが設けられている。ギヤケース外壁１０Ａは、回転軸１１を囲むように形成されるため、固定刃側凹部２１Ａと係合する突起部（ギヤケース側係合部）３１を、ギヤケース外壁１０Ａに設けることは容易である。すなわち、これによって、固定刃を係止するためのギヤケース側係合部をギヤケース側に設ける場合でも、ギヤケースを大きくする必要はなく、ギヤケース全体を小型とすることができる。
【００２７】
図５は、固定刃２１に反りを生じさせた場合における固定刃２１の形状を示す側面図である。こうした場合、固定刃２１は、下側から回転刃２２によって押圧される際に弾性変形し、平面形状に近づく。この際、固定刃２１は、復元力により回転刃２２をより強く押圧すると共に、回転刃２２を円滑に回転させることができる。あるいは、回転刃２２と第１刈刃固定具１５又は第２刈刃固定具１６との間に薄い弾性体を介在させても、同様の効果を奏することは明らかである。
【００２８】
また、上記の刈払機において、ナット１７、第１刈刃固定具１５を回転軸１１から取り外せば、回転刃２２を取り外し、更に固定刃２１をギヤケース外壁１０Ａから取り外すことができる。すなわち、回転刃２２、固定刃２１の脱着は、ナット１７、第１刈刃固定具１５を回転軸１１から取り外すことによって容易に行われる。
【００２９】
次に、上記の刈払機を使用する際の他の形態について説明する。上記の例では、固定刃２１と回転刃２２が共に用いられた２枚刃構成でこの刈払機は使用された。しかしながら、固定刃２１が設けられない場合でも、第１刈刃固定具１５、第２刈刃固定具を用いて回転刃２２を回転軸１１に対して固定することができるため、回転刃２２のみを用いることもできる。ただし、この際には、ギヤケース１０と回転刃２２との間に空隙が形成されるために、ゴミ等がギヤケース１０内に侵入しやすくなる。このため、固定刃２１の代わりに、ゴミ侵入抑制部材（代替部材）２３を用いることができる。図６は、この場合の構造を図１に対応させて示す図である。
【００３０】
図６に示されるように、ゴミ侵入抑制部材２３は固定刃２１の代わりに装着される。ただし、ゴミ侵入抑制部材２３には、回転刃２２における回転刃開口部２２Ａと同様に、第２刈刃固定具突出部１６１は貫通するが第２刈刃固定具１６全体は貫通しない開口部が設けられる。このため、ゴミ侵入抑制部材２３が装着された場合、ゴミ侵入抑制部材２３は第２刈刃固定具１６（第２当接部１６Ｂ）と回転刃２２によって挟持される。ただし、固定刃２１とは異なり、ゴミ侵入抑制部材２３は、ギヤケース外壁１０Ａ（ギヤケース１０）の突起部３１と係合する構造は具備しないため、ギヤケース１０に対しては固定されない。このため、前記の固定刃２１とは異なり、ゴミ侵入抑制部材２３は回転刃２２（回転軸１１）と一体となって回転する。
【００３１】
また、ゴミ侵入抑制部材２３の外周には、ギヤケース外壁１０Ａの外周面を封止するようにギヤケース外壁１０Ａの外周面上を摺動するゴミ侵入抑制部材外壁（代替部材外壁）２３Ａを具備する。このため、回転刃２２とギヤケース１０の間に空隙は形成されず、この空隙からゴミがギヤケース１０内に侵入することが抑制される。すなわち、図６の形態で、上記の刈払機を、回転刃２２のみを用いた１枚刃構成として使用することができる。
【００３２】
また、上記の例では、エンジンによって駆動される伝達軸１００によって回転軸１１が回転駆動されるものとした。しかしながら、刈払機においては、エンジンではなくモータによって駆動されるものもある。この場合において、例えば特開２０１３−２４０１８２号公報に記載されたようなディスクモータは、全体を薄型、軽量とすることができるために、刈払機の先端に設けることができる。この場合には、図８における操作棹３０１内に伝達軸を設けることは不要であり、代わりに、ディスクモータに電流を供給するための配線を操作棹に設けることができる。このため、操作棹を大幅に軽量化することができ、かつ、操作棹の長さ調整を容易に行うことができる。この場合には、図８におけるエンジン３０４等の代わりに、電源となるバッテリを操作棹の後部に搭載することができる。また、ディスクモータのケーシングは半径方向に広く形成されることから、より外周側で固定刃を固定することで、固定刃をより安定して支持することができるとともに、内周側の軽量化を図ることができる。
【００３３】
こうした刈払機においても、上記の第１刈刃固定具、第２刈刃固定具等は、ギヤケースの下側の構造のみに関わるため、これらを用いて同様に固定刃及び刈刃を装着することができる。図７は、こうした刈払機の構成を図１に対応させて示す図である。
【００３４】
図７においては、ディスクモータに電力を供給するための２本の配線１１１が操作棹１１０の内部に設けられており、この配線１１１がギヤケース６０内に導かれる。このギヤケース６０内には、前記の回転軸１１、ベアリング１３と同様の回転軸６１、ベアリング６３が設けられる。この回転軸６１には、ディスクモータのロータとなりコイルが固定されたロータコイル基板７１が固定される。ロータコイル基板７１には、ブラシ７２を介して配線１１１から電流が流される。また、ギヤケース６０側には、永久磁石７３と、この永久磁石７３が形成する磁路となる環状の上部環状ヨーク７４、下部環状ヨーク７５が、ディスクモータのステータとして設けられている。この構成により、配線１１１から通電を行うことによって回転軸６１を回転させることができる。
【００３５】
ここで、前記のギヤケース外壁１０Ａと同様に、ギヤケース６０の下側外周には、ギヤケース外壁６０Ａが設けられている。ギヤケース外壁６０Ａには、前記の突起部３１と同様に下側に向かって突出する突起部（ギヤケース側係合部）８１が設けられており、突起部８１が固定刃２１に係止されることによって、固定刃２１がギヤケース６０に固定される。また、前記の第２刈刃固定具１６と同様に第２当接部６６Ｂを具備する第２刈刃固定具６６、前記の第１刈刃固定具１５と同様に第１当接部６５Ｂを具備する第１刈刃固定具６５、ナット６７を用いて、回転刃２２が回転軸６１に装着される。また、この構成においては、回転軸６１と共に回転する第２刈刃固定具６５の上面には、冷却ファン６８が装着されている。これによって、ギヤケース６０内の冷却が行われる。
【００３６】
第１刈刃固定具６５に設けられた第１当接部６５Ｂ、第２刈刃固定具６６に設けられた第２当接部６６Ｂによって回転刃２２が挟持されて回転軸６１に装着される点、固定刃２１は下側から回転刃２２によって支持されるが、回転刃２２は固定刃２１の下面を摺動可能となる点は、前記と同様である。また、固定刃２１、回転刃２２の脱着が容易であること、固定刃２１の代わりにゴミ侵入抑制部材を装着することができることについても、前記と同様である。
【００３７】
すなわち、ディスクモータが用いられる場合においても、第１刈刃固定具、第２刈刃固定具等を用いて同様に固定刃、回転刃、ゴミ侵入抑制部材を装着して用いることができる。
【００３８】
上記の構造以外の構造を具備する刈払機であっても、回転刃、固定刃がギヤケースに装着される構成を具備する刈払機においては、上記の構成を用いることができ、同様の効果を奏することは明らかである。
【符号の説明】
【００３９】
１０、６０  ギヤケース
１０Ａ、６０Ａ  ギヤケース外壁
１０Ｂ  第３当接部
１１、６１  回転軸
１２、１３、６３、１０１  ベアリング
１４、１０２  ベベルギヤ
１５、６５  第１刈刃固定具
１５Ａ  第１刈刃固定具開口部
１５Ｂ、６５Ｂ  第１当接部
１６、６６  第２刈刃固定具
１６Ａ  第２刈刃固定具貫通孔
１６Ｂ、６６Ｂ  第２当接部
１７、６７  ナット
２１  固定刃
２１Ａ  固定刃側凹部（固定刃側係合部）
２１Ｂ  固定刃開口部
２２  回転刃
２２Ａ  回転刃開口部
２３  ゴミ侵入抑制部材（代替部材）
２３Ａ  ゴミ侵入抑制部材外壁（代替部材外壁）
３１、８１  突起部（ギヤケース側係合部）
６８  冷却ファン
７１  ロータコイル基板
７２  ブラシ
７３  永久磁石
７４  上部環状ヨーク
７５  下部環状ヨーク
１００  伝達軸
１１０  操作棹
１１１  配線
１６１  第２刈刃固定具突出部
【図１】
2016086659.tif 000003
【図２】
2016086659.tif 000004
【図３】
2016086659.tif 000005
【図４】
2016086659.tif 000006
【図５】
2016086659.tif 000007
【図６】
2016086659.tif 000008
【図７】
2016086659.tif 000009
【図８】
2016086659.tif 000010